(57)【要約】【課題】本発明は、施錠装置の解錠時において前扉の開放が容易な遊技機を提供することを目的とする。【解決手段】遊技機１は、外枠２および中扉３の正面側に設けられ、外枠２および中扉３の幅方向一端側を軸として外枠２および中扉３に対して開閉可能な前扉５と、中扉３および前扉５のいずれか一方に設けられた施錠被係止部５ａと、中扉３および前扉５のいずれか他方に設けられ前扉５の解錠操作に連動して外枠２および中扉３の幅方向に交わる上下方向にスライドする第１連動部材１２とを有し、前扉５の開放を規制する施錠状態、および、前扉５の開放を許容する解錠状態となる施錠機構１０と、第１連動部材１２によって付勢されることが可能であって、中扉３および前扉５のいずれか一方に施錠被係止部５ａと対向して設けられ解錠状態における前扉５の開放を補助する開放補助ユニット５０と、を備える。【選択図】図７
2019180697.tif 000002
【特許請求の範囲】
【請求項１】
基体の正面側に設けられ、該基体の幅方向一端側を軸として該基体に対して開閉可能な扉体と、
前記基体および前記扉体のいずれか一方に設けられた施錠被係止部と、前記基体および前記扉体のいずれか他方に設けられ前記扉体の解錠操作に連動して該基体の幅方向に交わる上下方向にスライドする連動部材とを有し、該施錠被係止部に該連動部材が係止されることにより前記扉体の開放を規制する施錠状態、および、該施錠被係止部と該連動部材との係止関係が断たれて該扉体の開放を許容する解錠状態となる施錠機構と、
前記連動部材によって付勢されることが可能であって、前記基体および前記扉体のいずれか一方に前記施錠被係止部と対向して設けられ前記解錠状態における前記扉体の開放を補助する開放補助部材と、
を備えることを特徴とする遊技機。
【請求項２】
前記開放補助部材は、ベース部と、ベース部に設けられた弾性部材と、弾性部材に連結されて上下方向に摺動可能であって前記連動部材により付勢されることが可能な摺動部とを有し、
前記施錠機構は、前記連動部材に設けられた係止爪が前記施錠被係止部を係止することにより前記施錠状態となり、且つ前記係止爪が前記施錠被係止部を係止しない状態となることにより前記解錠状態となり、
前記開放補助部材は、前記施錠機構が前記施錠状態から前記解錠状態に遷移する際に前記係止爪と前記摺動部とが当接する位置に設けられていること
を特徴とする請求項１記載の遊技機。
【発明の詳細な説明】
【技術分野】
【０００１】
本発明は、弾球遊技機（パチンコ機）に代表される遊技機に関する。
【背景技術】
【０００２】
従来、解錠時において、開閉扉（例えば前扉）の開放を容易にする施錠装置が設けられた遊技機が知られている（例えば、特許文献１）。
【先行技術文献】
【特許文献】
【０００３】
【特許文献１】特開平１０−２０１９２６号公報
【発明の概要】
【発明が解決しようとする課題】
【０００４】
しかしながら、従来の遊技機は施錠装置の解錠時において、前扉の開放し易さが十分でないという問題があった。
【０００５】
本発明の目的は、施錠装置の解錠時において前扉の開放が容易な遊技機を提供することにある。
【課題を解決するための手段】
【０００６】
上記目的を達成するために、本発明の一態様による遊技機は、基体の正面側に設けられ、該基体の幅方向一端側を軸として該基体に対して開閉可能な扉体と、前記基体および前記扉体のいずれか一方に設けられた施錠被係止部と、前記基体および前記扉体のいずれか他方に設けられ前記扉体の解錠操作に連動して該基体の幅方向に交わる上下方向にスライドする連動部材とを有し、該施錠被係止部に該連動部材が係止されることにより前記扉体の開放を規制する施錠状態、および、該施錠被係止部と該連動部材との係止関係が断たれて該扉体の開放を許容する解錠状態となる施錠機構と、前記連動部材によって付勢されることが可能であって、前記基体および前記扉体のいずれか一方に前記施錠被係止部と対向して設けられ前記解錠状態における前記扉体の開放を補助する開放補助部材と、を備えることを特徴とする。
【０００７】
上記本発明の一態様による遊技機において、前記開放補助部材は、ベース部と、ベース部に設けられた弾性部材と、弾性部材に連結されて上下方向に摺動可能であって前記連動部材により付勢されることが可能な摺動部とを有し、前記施錠機構は、前記連動部材に設けられた係止爪が前記施錠被係止部を係止することにより前記施錠状態となり、且つ前記係止爪が前記施錠被係止部を係止しない状態となることにより前記解錠状態となり、前記開放補助部材は、前記施錠機構が前記施錠状態から前記解錠状態に遷移する際に前記係止爪と前記摺動部とが当接する位置に設けられていてもよい。
【発明の効果】
【０００８】
本発明の一態様によれば、施錠装置の解錠時において扉体の開放が容易な遊技機を提供することができる。
【図面の簡単な説明】
【０００９】
【図１】本実施形態における遊技機の開放状態の斜視図である。
【図２】本実施形態における遊技機の前扉の背面図である。
【図３】本実施形態における遊技機の施錠機構およびロック機構の概略構成図である。
【図４】（ａ）は、通常状態の開放補助ユニット５０を示す斜視図であり、（ｂ）は、摺動状態の開放補助ユニット５０を示す斜視図であり、（ｃ）は、通常状態の開放補助ユニット５０のカバー部を透過して示す斜視図であり、（ｄ）は、摺動状態の開放補助ユニット５０のカバー部を透過して示す斜視図である。
【図５】図２中に示す前扉の領域αを拡大して示す斜視図であって、背面板における開放補助ユニットの設置状態を説明する図である。
【図６】前扉を開放する場合に回転操作される錠前と、錠前の回転操作に連動したロック機構の動作説明図である。
【図７】前扉を開放する場合の第１連動部材の動作および第１連動部材によって摺動される開放補助ユニットの動作の説明図である。
【図８】前扉を開放するための錠前の解錠操作に連動したロック機構の動作説明図である。
【発明を実施するための形態】
【００１０】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１１】
図１は、本実施形態における遊技機１の開放状態の斜視図である。また、図２は、遊技機１の前扉の裏面の斜視図である。図１に示すように、遊技機１は、略矩形状に組まれた四辺によって囲繞空間が形成される外枠２と、この外枠２に開閉自在に軸支され、不図示の遊技盤が保持される中扉３と、この中扉３と同様に、外枠２に開閉自在に軸支され、ガラス製または樹脂製の透過板４が保持される前扉５と、を備えている。
【００１２】
本実施形態では、外枠２、中扉３および前扉５の幅方向一端部（遊技機１の正面視で左端部）にヒンジ機構が設けられていることから、外枠２、中扉３および前扉５の幅方向他端部（遊技機１の正面視で右端部）が自由端となる。そして、中扉３および前扉５を外枠２に対して閉じると、外枠２、中扉３および前扉５が平行になり、遊技盤と透過板４とが所定の間隔を維持して平行に対面することとなる。以下では、中扉３および前扉５が外枠２に軸支される幅方向一端部側をＬとし、中扉３および前扉５の自由端側となる幅方向他端部側をＲとして説明する。また、正面を基準として幅方向に交わる（例えば直交する）方向を上下方向とし、幅方向および上下方向に交わる（例えば直交する）方向を前後方向として説明する。
【００１３】
中扉３および前扉５は、外枠２に対して独立して開閉することが可能となっており、中扉３は、外枠２および前扉５よりも周長が小さく、外枠２に対して中扉３および前扉５が閉じられた状態では、中扉３が外枠２および前扉５内に収容され、当該中扉３を外部から視認することができなくなっている。また、図１および図２に示すように、前扉５の背面の自由端（幅方向他端部）側に上下方向に沿って取り付けられた背面板１５０には、施錠被係止部５ａが設けられている。施錠被係止部５ａは、背面板１５０の上下方向に離間して３つ設けられており、それぞれ、開口端２５０を有している。本例では、３つの施錠被係止部５ａを上から順に施錠被係止部５ａ−１，５ａ−２，５ａ−３とする。また、背面板１５０には、前扉５の開放を補助する開放補助ユニット５０が設けられている。図２に示すように、開放補助ユニット５０は、複数の施錠被係止部５ａのうちの１つ（本例では、３つのうち１番下の施錠被係止部５ａ−３）の開口端２５０と対向する位置に設けられている。開放補助ユニット５０の詳細は後述する。
【００１４】
そして、図１に示すように、中扉３の自由端（幅方向他端部）側には、遊技機１の正面に鍵穴６ａを開口させた錠前６が設けられている。錠前６は、シリンダを有するシリンダ錠であって遊技機１の前方向へ突出しており、前扉５の閉鎖時において前扉５に設けられた切欠き部５ｂから露出するようになっている。また、中扉３の自由端（幅方向他端部）側には、中扉３および前扉５が外枠２に対して閉じられた状態で、鍵穴６ａに鍵を挿入して回転させる解錠操作を行うことにより、中扉３および前扉５が外枠２に対して開放された状態にする施錠機構１０が上下方向に沿って設けられている。また、本実施形態においては、施錠機構１０とは別に、前扉５のこじ開けに対する強度を向上するためのロック機構２０が設けられている。
【００１５】
図３は施錠機構１０およびロック機構２０の構成例を示す図である。具体的には、図３（ａ）は施錠機構１０およびロック機構２０の正面図、図３（ｂ）は施錠機構１０およびロック機構２０の背面図、図３（ｃ）は施錠機構１０およびロック機構２０の左側面図、図３（ｄ）は施錠機構１０およびロック機構２０の右側面図、図３（ｅ）は施錠機構１０およびロック機構２０の平面図、図３（ｆ）は施錠機構１０およびロック機構２０の底面図である。なお、説明の都合上、図３では、施錠機構１０およびロック機構２０とともに錠前６を示している。
【００１６】
（施錠機構の構成）
図３に示すように、施錠機構１０は、前扉５の自由端側に設けられる施錠被係止部５ａ（図１および図２参照）と、鍵穴６ａに挿入された鍵の反時計回り方向の回転に連動する第１連動部材１２と、鍵穴６ａに挿入された鍵の時計回り方向の回転に連動する第２連動部材１３とが設けられている。第１連動部材１２および第２連動部材１３は、中扉３の自由端側に固定されたベース部材（不図示）に支持されることで、中扉３に保持される。第１連動部材１２および第２連動部材１３は、ベース部材において積層状態で上下動可動に支持されている。
【００１７】
遊技機１は、常態では、施錠機構１０の第１連動部材１２により前扉５が中扉３に対して施錠されるとともに、第２連動部材１３により中扉３が外枠２に対して施錠されている。そして、錠前６の鍵穴６ａに差し込んだ図示せぬキーを一方向（例えば反時計回り）へ回転操作すると、第１連動部材１２が上動して前扉５が解錠され、錠前６の鍵穴６ａに差し込んだキーを他方向（例えば時計回り）へ回転操作すると、第２連動部材１３が下動して中扉３が解錠されるようになっている。
【００１８】
第１連動部材１２は、薄板部材からなり、上下方向に延在している。第１連動部材１２には複数（本例では、３つ）のフック１２ａが形成されている。本実施形態による遊技機１において、第１連動部材１２には、上下両端と中央付近の合計３か所にフック１２ａが形成されており、これらフック１２ａは中扉３の前方向へ突出している。本例では、３つのフック１２ａを、上から順番にフック１２ａ−１，１２ａ−２，１２ａ−３とする。フック１２ａ−１〜フック１２ａ−３のそれぞれは、先端が下方向に直角に屈曲する係止部１２ｂを有している。また、フック１２ａ−１〜フック１２ａ−３のそれぞれは、前扉５が中扉３に対して閉じられた施錠状態において、対向する前扉５の施錠被係止部５ａの開口端２５０に挿通しており、係止部１２ｂが開口端２５０の周縁を係止している。これにより、施錠被係止部５ａがフック１２ａに係止され、前扉５が中扉３に対して施錠状態に維持される。
【００１９】
第２連動部材１３は、第１連動部材１２と同様に薄板部材からなり、上下方向に延在している。第２連動部材１３には複数（本例では、２つ）のフック１３ａが形成されている。本実施形態による遊技機１において、第２連動部材１３には、上下両端の合計２か所にフック１３ａが形成されており、これら２つのフック１３ａは、中扉３の後方へ突出している。また、フック１３ａは、先端が上方向に直角に屈曲する係止部１３ｂを有している。外枠２には、上下方向に離間して不図示の被係止孔が２つ設けられており、フック１３ａのそれぞれは、中扉３が外枠２に対して閉じられた状態において、対向する外枠２の被係止孔に挿通しており、係止部１３ｃが被係止孔の周縁に係止されている。
【００２０】
第１連動部材１２と第２連動部材１３との間には弾性体であるコイルばね１１が張架されている。コイルばね１１は、例えば引っ張りコイルばねである。
第１連動部材１２は、コイルばね１１により下方向に付勢されており、鍵穴６ａに挿入した鍵を反時計回り方向に回転させると、この回転に伴ってコイルばね１１による付勢力に抗して上方向にスライドする。第１連動部材１２が上方向にスライドすると、第１連動部材１２のフック１２ａ−１〜１２ａ−３が一体となって上方向に移動し、３つのフック１２ａ（係止部１２ｂ）と対応する施錠被係止部５ａとの係止関係が断たれる。
【００２１】
（ロック機構の構成）
図３に示すように、ロック機構２０は、前扉５に設けられた扉側フック２１と、中扉３の正面に設けられるベース部材２２、スライド部材２３およびコイルばね２６とによって構成されている。
【００２２】
扉側フック２１は、前扉５の背面から垂直に突出しており、前扉５のＬ方向に直角に屈曲する規制被係止部２１ａを備えている。なお、前扉５の正面には払い出された遊技球が貯留される貯留部（受け皿）が設けられており、扉側フック２１（規制被係止部２１ａ）は貯留部の背面に配置されている。これは、貯留部が、遊技球を貯留するという特性上、遊技機１の正面側に突出する凹凸形状をなしており、所謂「針金ゴト」を行う者は、貯留部を把持して前扉５をこじ開けるという実態があり、特に、貯留部近傍のこじ開けに対する強度を向上するためである。
【００２３】
ベース部材２２は、金属製の薄板部材からなり、中扉３の幅方向に延在するとともに中扉３に対して閉じられた状態にある前扉５の背面に対面する延在部２２ａと、延在部２２ａに連接され、延在部２２ａの上方側の端部から背面方向に向けて直角に屈曲形成される上面部２２ｂとを有している。ベース部材２２は、中扉３に対して固定されており、延在部２２ａには、前扉５の開閉に伴って扉側フック２１が挿通される挿通孔２２０が設けられている。
【００２４】
スライド部材２３は、薄板部材からなり、錠前６のカム板６１に設けられた後述する可動片６２の側面と面接触状態で対向する当接面２３ａと、当接面２３ａに連接され、当接面２３ａの上方側の端部からＬ方向に向けて直角に屈曲形成される上面部２３ｂとを有している。スライド部材２３の上面部２３ｂは、ベース部材２２の上面部２２ｂに沿うように、上面部２２ｂの下側に積層されている。スライド部材２３の上面部２３ｂには、上下方向に貫通する一対のガイド孔２３０が、中扉３の幅方向に離間して設けられている。そして、両ガイド孔２３０を挿通するガイドピンＰ１がベース部材２２の上面部２２ｂに固定されており、これによって、スライド部材２３は、ベース部材２２において中扉３の幅方向にスライド可能に保持されることとなる。また、上面部２３ｂにおいて、Ｌ方向側のガイド孔２３０の近傍には、下方向に突出する掛止片２３１が設けられ、ベース部材２２の上面部２２ｂには、スライド部材２３の掛止片２３１に対してＲ方向であって延在部２２ａ寄りの位置に掛止片２２１が設けられている。そして、引張コイルばねであるコイルばね２６の一端部が掛止片２３１に掛止され、コイルばね２６の他端部がベース部材２２に設けられる掛止片２２１に掛止されている。これにより、スライド部材２３には、常時、Ｒ方向に付勢力が作用することとなる。
【００２５】
また、スライド部材２３は、上面部２３ｂに連接され、上面部２３ｂの正面側におけるＬ方向の一端部から下方向に向けて直角に屈曲形成された係止部２３２を備えている。図３（ａ）および図３（ｂ）に示すように、係止部２３２は、正面視における左側の一部がベース部材２２における挿通孔２２０の周囲の背面に面接触状態で対向し、右側の一部は挿通孔２２０から露出している。係止部２３２は、スライド部材２３がコイルばね２６の付勢力に抗してＬ側（中扉３の幅方向一端部側）に移動した位置（第１の位置）にあるとき、Ｒ側の端部が挿通孔２２０のＬ側の端部まで移動し、ベース部材２２の正面側に挿通孔２２０を介してほぼ露出しない状態となる。一方、スライド部材２３がコイルばね２６の付勢力によってＲ側（中扉３の幅方向他端部側）に移動した位置（第２の位置）にあるとき、係止部２３２は、第１の位置にあるときに比べて、ベース部材２２の正面側に挿通孔２２０を介して露出する面積が大きくなる。
【００２６】
次に、施錠機構１０およびロック機構２０のそれぞれと、錠前６と関連について説明する。
錠前６は、背面側にカム板６１が設けられている。カム板６１は、錠前６の錠軸に取り付けられている。カム板６１は、鍵穴６ａに差し込んだキーを回転操作した際に、その回転方向に応じて所定角度の範囲内を回転するようになっている。カム板６１は、二股形状の駆動腕６１ａ，６１ｂを有しており、これら駆動腕６１ａ，６１ｂは、第１連動部材１２と第２連動部材１３各長孔１２１，１３１を挿通しており、カム板６１の回転方向に応じて第１連動部材１２と第２連動部材１３とが上下いずれかの方向へ移動するようになっている。
【００２７】
また、錠前６は、カム板６１に取付けられた可動片６２を有している。図３（ｂ）に示すように、可動片６２は、錠前６の背面視でＬ字型を有する板状部材であり、カム板６１と連結された連結部と、連結部に連接されて該連結部のＬ方向の端部から上方向に向けて直角に屈曲形成される側部とを有している。この側部は、スライド部材２３の当接面２３ａと面接触状態で対向している。可動片６２は、鍵穴６ａに差し込んだキーを回転操作した際に、カム板６１の回転方向に応じて所定角度の範囲内を回転するようになっている。これにより、例えばカム板６１が反時計回りに回転する場合に、スライド部材２３の当接面２３ａに対して可動片６２の側部からＬ方向の力が加わり、スライド部材２３がＬ方向に移動するようになっている。
【００２８】
中扉３および前扉５が外枠２に対して閉じられており、また、中扉３および前扉５の自由端側が錠前６によって施錠された施錠状態では、前扉５の施錠被係止部５ａ（図１および図２参照）に第１連動部材１２の係止部１２ｂが係止している。また、ロック機構２０は、扉側フック２１の先端が挿通孔２２０を挿通して、ベース部材２２よりも中扉３側に位置している。この状態では、図３（ｆ）に示すように、規制被係止部２１ａが係止部２３２に係止されている。これにより、前扉５は、第１連動部材１２によって自由端側が施錠されていることに加えて、規制被係止部２１ａと係止部２３２との係止関係によっても、外枠２や中扉３に対する開方向の移動が規制された規制状態となり、前扉５のこじ開けに対する強度が確保されることとなる。
【００２９】
この状態から前扉５を外枠２および中扉３に対して開放すべく、鍵穴６ａに鍵を挿入して反時計回り方向に回転させる解錠操作をすると、解錠操作に応じて、カム板６１の駆動腕６１ａ，６１ｂが反時計回りに回転して第１連動部材１２が上方向にスライドする。これにより、３つのフック１２ａ（係止部１２ｂ）と対応する施錠被係止部５ａとの係止関係が断たれて、前扉５が解錠状態となる。また反時計回り方向の解錠操作に伴って、カム板６１に取り付けられた可動片６２の側面が反時計回りに回転する。これにより、側面からスライド部材２３の当接面２３ａにＬ方向への力が加わり、コイルばね２６の付勢力に抗してスライド部材２３がＬ方向に移動する。
【００３０】
そして、規制被係止部２１ａに対するスライド部材２３の係止部２３２の係止関係が断たれる位置、すなわちロック機構２０が規制状態から中扉３に対する前扉５の開放をロック機構２０が許容する許容状態に変位した時点まで、スライド部材２３がＬ方向に移動されると、規制被係止部２１ｂと係止部２３ｅとの係止関係が断たれる。施錠機構１０が解錠状態になり、かつロック機構２０が許容状態となることにより、前扉５が外枠２および中扉３に対して開放し、中扉３が外枠２に対して閉じられた状態に維持される。
【００３１】
（開放補助ユニットの構成）
次に、図４および図５を用いて開放補助ユニット５０の構成について説明する。図４は、開放補助ユニット５０の構成例を示す斜視図である。具体的には、図４（ａ）は、通常状態の開放補助ユニット５０を示す図であり、図４（ｂ）は、摺動状態の開放補助ユニット５０を示す図である。また、図４（ｃ）は、通常状態の開放補助ユニット５０のカバー部を透過して示す図であり、図４（ｄ）は、摺動状態の開放補助ユニット５０のカバー部を透過して示す図である。また、図５は、図２中に示す前扉５の領域αを拡大して示す斜視図であって、背面板１５０における開放補助ユニット５０の設置状態を説明する図である。
【００３２】
図４（ａ）および図４（ｃ）に示すように、開放補助ユニット５０は、逆Ｌ型に形成された薄板部材からなるベース部５１と、ベース部５１に設けられたコイルばね５４（弾性部材の一例）と、コイルばね５４に連結されてベース部５１に対して上下に摺動可能な摺動部５２と、摺動部５２を覆うようにベース部５１に取り付けられたカバー部５３と、を有している。
【００３３】
カバー部５３は、中央から下領域に開口部５３ａを有しており、この開口部５３ａからは摺動部５２の一部が露出している。また、カバー部５３には、内部方向に突出して摺動部５２の摺動をガイドするとともに、摺動部５２の下方向への摺動を規制するガイド部５３ｂが設けられている。
【００３４】
ベース部５１は、上板５１ａと、上板５１ａに連接されて上板５１ａの背面側（遊技機１における正面側）の端部から下方向に向けて直角に屈曲形成される壁板５１ｂとを有している。またベース部５１には、壁板５１ｂの下側領域に、正面方向（遊技機１における背面側）に突出した下向きコの字型の摺動規制部５１ｃが設けられている。摺動規制部５１ｃは、摺動部５２の下方向への摺動を規制するための部材である。
【００３５】
また、図４（ｃ）に示すように、ベース部５１と摺動部５２とは、２つのコイルばね５４を介して接続されている。２つのコイルばね５４の一端は、ベース部５１の上板５１ａの裏面側において幅方向に並んで設けられた２つの開口部（不図示）の内部にそれぞれ連結されている。また、コイルばね５４の他端は、摺動部５２の上面５２ａにおいて幅方向に並んで設けられた円形状の２つの開口部５２４の内部にそれぞれ連結されている。これにより、摺動部５２は、上下方向に摺動可能にベース部５１に保持される。
【００３６】
摺動部５２は、長方体の中央から下領域が適宜に切り欠かれた形状を有している。具体的には、摺動部５２は、正面側の左右両端を切り欠いて形成された一対のガイド溝５２３を有している。ガイド溝５２３は、カバー部５３のガイド部５３ｂと嵌合する形状を有している。摺動部５２は、ガイド溝５２３が左右方向からガイド部５３ｂに挟まれることにより、上下方向への摺動時において左右方向へのぶれが規制される。また、ガイド溝５２３の上面５２３ａがガイド部５３ｂの段差部分と当接することにより、摺動部５２の下方向への摺動が規制される。
【００３７】
また、摺動部５２の正面側には、一対のガイド溝５２３に挟まれるようにして露出部５２１が設けられている。露出部５２１の幅は、カバー部５３の開口部５３ａの幅よりも若干短くなっており、露出部５２１が開口部５３ａから露出するように形成されている。また、露出部５２１の下側領域には、摺動部５２の背面方向へ屈曲して形成された斜面５２１ａが設けられている。
【００３８】
さらに、図４（ｄ）に示すように、摺動部５２の背面側には、ベース部５１の摺動規制部５１ｃと嵌合するように切り欠かれた背面被規制部５２２が設けられている。摺動部５２は、ガイド溝５２３の上面５２３ａがカバー部５３のガイド部５３ｂの段差部分に当接することに加え、背面被規制部５２２が摺動規制部５１ｃと当接することにより、下方向への摺動が規制されて図４（ｃ）に示す初期位置に維持される。また、摺動部５２は、カバー部５３とベース部５１の摺動規制部５１ｃとに前後から挟まれることで、摺動時において左右方向のみならず前後方向へのぶれも規制される。これにより、摺動部５２は、上下方向にスムーズに摺動することができる。
【００３９】
本実施形態による遊技機１において、コイルばね５４は、例えば圧縮コイルばねである。このため、図４（ｃ）に示す初期位置にある摺動部５２に対して押し上げるように力を加え、上方向に摺動させると、コイルばね５４が圧縮されて付勢力が蓄えられる。図４（ｄ）に示すように、摺動部５２は、摺動部５２の上面５２ａがベース部５１の上板５１ａの裏面に当接する位置を上限として上方向に摺動させることができる。摺動部５２を上方向へ押し上げる力がコイルばね５４の付勢力よりも小さくなると、摺動部５２は、蓄えられた付勢力が放出されて下方向へ摺動する。これにより、摺動部５２は、図４（ｃ）に示すように背面被規制部５２２がベース部５１の摺動規制部５１ｃと当接する初期位置に戻る。
【００４０】
図４（ｂ）に示すように摺動部５２が上限位置にあるときは、図４（ａ）に示す初期位置にあるときに比べて、カバー部５３の開口部５３ａから露出する露出部５２１の面積は狭くなる。ただし、摺動部５２は、上限位置にあっても、少なくとも露出部５２１の斜面５２１ａがカバー部５３の開口部５３ａから露出するようになっている。詳しくは後述するが、開放補助ユニット５０は、施錠機構１０の第１連動部材１２が上方向にスライドする際に、第１連動部材１２のフック１２ａと摺動部５２の斜面５２１ａとが当接して、前扉５を正面方向に押し出す。これにより、開放補助ユニット５０は、施錠機構１０の解錠時において前扉５の開放を補助することができる。
【００４１】
図５に示すように、開放補助ユニット５０は、前扉５の背面側に設けられた背面板１５０に設けられている。背面板１５０は、平面視においてコの字形状を有する薄板部材で形成されている。背面板１５０は、第１連動部材１２のフック１２ａ（本例ではフック１２ａ−３）を挿入可能な施錠被係止部５ａ（本例では施錠被係止部５ａ−３）の開口端２５０が設けられた後板１５２と、後板１５２から離間して設けられた前板１５１とを有している。開放補助ユニット５０は、前板１５１において、後板１５２に設けられた開口端２５０と対向する位置に設けられている。より詳細には、開放補助ユニット５０は、前板１５１において、フック１２ａを係止する開口端２５０の下側端部２５０ａに対向する位置よりも上位値に設けられている。すなわち、開放補助ユニット５０と開口端２５０の下側端部２５０ａとは対向していない。
【００４２】
また、開放補助ユニット５０は、背面板１５０において施錠被係止部５ａが設けられている面と対向する内面１５０ａを貫通する被固定部材（図５では不図示）および被固定部材に嵌合する固定部材５００によって内面１５０ａに固定されている。本実施形態による遊技機１において開放補助ユニット５０は、前扉５の切欠き５ｂ（図１および図２参照）の下側に位置する施錠被係止部５ａ−３の開口端２５０から、カバー部５３の開口部５３ａを介して摺動部５２の露出部５２１が露出するように設置されている。これにより、施錠機構１０の解錠時において、第１連動部材１２（図３参照）が上方向にスライドする際に、開口端２５０に挿通している第１連動部材１２のフック１２ａ（フック１２ａ−３）が摺動部５２の斜面５２１ａに当接可能となり、開放補助ユニット５０は、前扉５の開放を補助することができる。
【００４３】
（開放補助ユニットの作用）
次に、図６から図８を用いて、開放補助ユニット５０の作用について説明する。図６は、中扉３に対して前扉５を開放する場合に反時計回り方向に回転操作される錠前６と、錠前６の回転操作に連動したロック機構２０の動作説明図である。具体的には、図６（ａ）左側は、錠前６によって中扉３および前扉５の自由端側が施錠されている施錠状態における錠前６、施錠機構１０およびロック機構２０の正面図であり、図６（ａ）右側は、施錠状態における錠前６、施錠機構１０およびロック機構２０の背面図である。また、図６（ｂ）左側は、錠前６によって中扉３および前扉５の自由端側が開放可能な解錠状態における錠前６、施錠機構１０およびロック機構２０の正面図であり、図６（ｂ）右側は、解錠状態における錠前６、施錠機構１０およびロック機構２０の背面図である。また、図６（ｃ）左側は、解錠状態の錠前６に対して限界まで解錠操作（回転操作）を進行させた解錠限度状態における錠前６、施錠機構１０およびロック機構２０の正面図であり、図６（ｃ）右側は、解錠限度状態における錠前６、施錠機構１０およびロック機構２０の背面図である。
【００４４】
また、図７は、前扉５を開放するための錠前６の解錠操作に連動してスライドする第１連動部材１２および第１連動部材１２により摺動される開放補助ユニット５０の動作の説明図である。具体的には、図７（ａ）は、施錠状態における第１連動部材１２および開放補助ユニット５０の側面図であり、図７（ｂ）は、解錠状態における第１連動部材１２および開放補助ユニット５０の側面図であり、図７（ｃ）は、解錠限度状態における第１連動部材１２および開放補助ユニット５０の側面図である。なお、図７（ａ）〜図７（ｃ）において、開放補助ユニット５０は、カバー部５３を透過した状態で図示している。
【００４５】
また、図８は、前扉５を開放するための錠前６の解錠操作に連動して規制状態から許容状態に遷移するロック機構２０の動作説明図である。具体的には、図８（ａ）は、施錠機構１０の施錠状態に伴い規制状態となっているロック機構２０の底面図であり、図８（ｂ）は、解錠状態に伴い規制解除状態になっているロック機構２０の底面図であり、図８（ｃ）は、解錠限度状態に伴い許容限度状態になっているロック機構２０の底面図である。
【００４６】
図６（ａ）に示すように、施錠機構１０の施錠状態では、錠前６がいずれの方向にも解錠操作（回転操作）されていない。したがって、錠前６のカム板６１が有する駆動腕６１ａ，６１ｂは、第１連動部材１２と第２連動部材１３とに挿通して静止している。これに伴い、第１連動部材１２および第２連動部材１３は、いずれも上下方向にスライドすることなく第１連動部材１２のフック１２ａ−３と第２連動部材１３の下側のフック１３ａとが近接した初期位置に維持されている。
【００４７】
また、図７（ａ）に示すように、施錠機構１０の施錠状態において、前扉５の背面板１５０に設けられた施錠被係止部５ａ−３の開口端２５０には、第１連動部材１２のフック１２ａ−３が挿通しており、開口端２５０の下側端部２５０ａ（図５参照）にフック１２ａ−３の係止部１２ｂが係止されている。また、施錠状態において、開放補助ユニット５０とフック１２ａ−３とは接触していない。このため、フック１２ａ−３において係止部１２ｂと対向して設けられた斜面１２ｃと開放補助ユニット５０とは離間した状態になっている。このため、施錠状態における開放補助ユニット５０は、摺動部５２に対して上方向の力が加えらえておらず、摺動部５２とベース部５１とを連結するコイルばね５４が略自然長であって摺動部５２が付勢されていない状態となっている。これにより、施錠機構１０の施錠状態において摺動部５２は、背面被規制部５２２と摺動規制部５１ｃとが当接した初期位置に維持されている。なお、図７において図示していないが、フック１２ａ−３の係止部１２ｂと同様に、フック１２ａ−１，１２ａ−２の係止部１２ｂも、それぞれ対応する施錠被係止部５ａ−１，５ａ−２に係止している。
【００４８】
また、施錠状態においては錠前６がいずれの方向にも解錠操作されていないため、図８（ａ）に示すように、カム板６１に取り付けられた可動片６２はスライド部材２３の当接面２３ａに対して力を加えていない状態、すなわち当接面２３ａに対して平行の状態で静止している。したがって、施錠機構１０が施錠状態であるとき、ロック機構２０のスライド部材２３はコイルばね２６に作用しているＲ方向の付勢力に従ってＲ側（第１の位置）に維持されており、扉側フック２１の規制被係止部２１ｂがスライド部材２３の係止部２３２に係止された状態となっている。このようにして、施錠機構１０が施錠状態となっている期間において、ロック機構２０は規制状態に維持される。
【００４９】
図６（ａ）に示す施錠状態において、前扉５を外枠２および中扉３に対して開放すべく鍵穴６ａに不図示の鍵を差し込み、反時計回り方向に回転させる解錠操作を行うと、施錠機構１０は前扉５の開放が可能な解錠状態となる。具体的には、図６（ｂ）に示すように、解錠操作に応じて錠前６のカム板６１はキーの回転方向（本例では、反時計回り）に回転するため、駆動腕６１ｂが第１連動部材１２および第２連動部材１３から離脱するとともに、駆動腕６１ａは第１連動部材１２および第２連動部材１３に挿通した状態で反時計回り方向へ回転し、駆動腕６１ａの回転に応じて第１連動部材１２が上方向にスライドされる。これにより、第１連動部材１２のフック１２ａ（１２ａ−１〜１２ａ−３）が第１連動部材１２と一体となって上方向に移動するので、フック１２ａ−３と第２連動部材１３の下側のフック１３ａとの距離は、図６（ａ）で示した施錠状態における初期位置に比べて離間した状態となる。
【００５０】
図７（ｂ）に示すように、第１連動部材１２が上方向にスライドして施錠機構１０が解錠状態に遷移すると、フック１２ａ−３は施錠被係止部５ａ−３の開口端２５０に挿通しているもののフック１２ａ−３の係止部１２ｂは開口端２５０の下側端部２５０ａ（図５参照）から離脱し、係止部１２ｂと施錠被係止部５ａ−３との係止関係が断たれる。また、図７（ｂ）では図示しないが、解錠状態において、第１連動部材１２のフック１２ａ−１，１２ａ−２の係止部１２ｂも、施錠被係止部５ａ−１，５ａ−２との係止関係が断たれる。
【００５１】
また、図７（ｂ）に示すように、本実施形態による遊技機１において、施錠機構１０が施錠状態から解錠状態となったタイミング、すなわち第１連動部材１２のフック１２ａと施錠被係止部５ａとの係止関係が断たれたタイミングで、フック１２ａ−３の斜面１２ｃが開放補助ユニット５０の摺動部５２における露出部５２１に形成された斜面５２１ａに当接する。これにより、斜面１２ｃを介してフック１２ａ−３から開放補助ユニット５０に対し、前扉５の開放方向（図７（ｂ）に示す太矢印方向）の力が加わる。このため、前扉５はフック１２ａ−３と開放補助ユニット５０との当接による作用によって開放方向へ蹴り出されることとなり、施錠機構１０の施錠状態から解錠状態への遷移時において、前扉５が開放し易い状態となる。
【００５２】
一般的に、施錠機構１０のように連動部材において上下方向に複数設けられたフックによって扉体を係止して施錠する施錠装置では、扉体の自重の影響により、下側のフックが上方向に移動しづらくなる場合がある。このため、例えば、錠前の解錠操作時において、上側のフックの係止部と施錠被係止部との係止関係が断たれても、下側のフックが施錠被係止部に対して係止状態に維持されたままとなり、扉体を開放するために遊技場の作業者が手で下側のフックを引き出すといった作業負荷が生じる場合があった。このような状況を鑑みて、本実施形態による遊技機１は、施錠機構１０が施錠状態からフック１２ａが施錠被係止部５ａを係止しない解錠状態に遷移した際に、フック１２ａ（本例ではフック１２ａ−３）と開放補助ユニット５０の摺動部５２とが当接する位置に開放補助ユニット５０が設けられている。これにより、遊技機１は、施錠機構１０の解錠状態において、前扉５を開放し易くするとともに作業者の作業負荷を軽減することができる。また、遊技機１では、解錠状態においてフック１２ａが摺動部５２と当接するため、開放補助ユニット５０がフック１２ａとの当接により前扉５を蹴り出す作用によってフック１２ａが施錠被係止部５ａに押し付けられる状態（突っ張り状態）になることが回避され、錠前６の解錠操作をスムーズに行うことができる。
【００５３】
さらに、施錠機構１０が解錠状態となる時点では、図６（ｂ）および図８（ｂ）に示すように、ロック機構２０においてスライド部材２３の係止部２３２が扉側フック２１の規制被係止部２１ａから離脱し、スライド部材２３と扉側フック２１との係止関係が断たれる。これは、可動片６２が解錠操作に応じて反時計回り方向に回転して側面６２ａがスライド部材２３の当接面２３ａ側に接触しながらＬ方向に倒れることで、当接面２３ａに対してコイルばね２６の付勢力に抗する強さでＬ方向に力が加わり、スライド部材２３がＬ側（中扉３の幅方向一端部側）の第２位置に移動するためである。スライド部材２３が第２位置にあるとき、係止部２３２のＲ側の端部は、ベース部材２２の挿通孔２２０のＬ側端部まで移動するため、挿通孔２２０からは係止部２３２が視認できない状態となる。このように、ロック機構２０は、施錠機構１０が施錠状態から解錠状態に遷移することに合わせて、前扉５の開放を許容する許容状態に遷移する。
【００５４】
ロック機構２０のスライド部材２３は、錠前６が図６（ｂ）に示すような反時計回り方向への回転操作による解錠状態に維持されている間は、図８（ｂ）に示す許容状態となる。しかしながら、鍵穴６ａに差し込んだ鍵から作業者が手を放す等して錠前６の解錠状態が維持されなくなると、スライド部材２３は、図８（ａ）に示す第１位置、すなわちスライド部材２３が扉側フック２１を係止している状態に戻る。ここで、本実施形態による遊技機１には、前扉５に開放補助ユニット５０が設けられており、施錠機構１０が解錠状態になる際に、前扉５を開放方向に蹴り出す作用を奏する。このため、遊技機１において、施錠機構１０が解錠状態となることに合わせてロック機構２０が許容状態となった際には、扉側フック２１が速やかにベース部材２２の挿通孔２２０から離脱するようになっている。これにより、遊技機１では、前扉５の開放時において、施錠機構１０が解錠状態となるもののロック機構２０が規制状態に維持される状況が生じるおそれが極めて低くなるため、例えば、ロック機構２０が規制状態にあることに気付かない作業者が前扉５を開放方向に移動させようとしてロック機構２０の構成部品が破損するといった事象の発生を防止することができる。
【００５５】
また、開放された前扉５を中扉３に対して閉鎖する際において、作業者が解錠操作と同様に鍵穴６ａに不図示の鍵を差し込み反時計回り方向に回転させると、第１連動部材１２が上方向にスライドする。この状態で、前扉５の自由端側を中扉３側に近付けるように移動させると、フック１２ａ−３が施錠被係止部５ａ−３の開口端２５０に挿通される。このとき、例えばフック１２ａ−３の傾斜端面１２ｄは、開口端２５０の下側端部２５０ａ（図５参照）に当接して下側端部２５０ａに乗り上げるように移動し、これによって第１連動部材１２の上方向へのスライドが補助される。フック１２ａ−３の傾斜端面１２ｄの全体が開口端２５０の内部に進入すると、フック１２ａ−３の斜面１２ｃが開放補助ユニット５０の摺動部５２における斜面５２１ａと近接（または当接）する。その後、例えば、作業者が鍵の回転操作を止めることに伴って第１連動部材１２が下方向にスライドし、フック１２ａ−３が係止部１２ｂにおいて開口端２５０の下側端部２５０ａを係止する。またこのとき、フック１２ａ−１，１２ａ−２も施錠被係止部５ａ−１，５ａ−２を係止する。このようにして、施錠機構１０は、解錠状態から施錠状態に遷移する。また、施錠機構１０が施錠状態に遷移するとき、ロック機構２０も規制状態に遷移する。これにより、前扉５は、中扉３に対して閉鎖された状態となる。
【００５６】
図６（ｂ）に示す解錠状態において、錠前６における反時計回り方向への回転の限度まで解錠操作を進行させると、施錠機構１０は図６（ｃ）に示す解錠限度状態となる。解錠限度状態において、錠前６のカム板６１の駆動腕６１ｂは、錠前６の周囲に設けられた板状部材の背面側まで移動して施錠機構１０の正面側から視認できない状態となり、駆動腕６１ａは第１連動部材１２および第２連動部材１３に挿通した状態で図６（ｂ）に示す解錠状態よりもさらに反時計回り方向へ回転する。このため、解錠限度状態では、第１連動部材１２が解錠状態よりもさらに上方向にスライドし、これに伴ってフック１２ａ（１２ａ−１〜１２ａ−３）もさらに上方向に移動する。したがって、フック１２ａ−３と第２連動部材１３の下側のフック１３ａとの距離は、図６（ｂ）で示した解錠状態に比べて離間した状態となる。
【００５７】
前扉５を開放する際に、作業者は前扉５を中扉３側に押し付けながら錠前６に差し込んだ鍵を勢いよく回転操作して、錠前６を解錠限度状態に遷移させた後に前扉５を開放（いじわる解錠）する場合がある。図７（ｃ）に示すように、いじわる解錠時においてフック１２ａ−３は、施錠被係止部５ａ−３の開口端２５０に挿通したままの状態で、図７（ｂ）に示す解錠状態よりも上方まで移動する。このとき、フック１２ａ−３の斜面１２ｃは、開放補助ユニット５０の摺動部５２における斜面５２１ａに当接し、さらに斜面５２１ａを押し上げて、最大で図４（ｄ）に示す上限位置まで摺動部５２を上方向に摺動させる。このように、開放補助ユニット５０は、フック１２ａ−３と当接する斜面５２１ａが摺動部５２に設けられていることにより、いじわる解錠時における斜面５２１ａの破損を回避することができる。また、中扉３に対する前扉５の閉鎖時において、作業者は錠前６を解錠限度状態に遷移させた後に施錠機構１０によって前扉５を施錠（いじわる施錠）する場合がある。いじわる施錠時においても、開放補助ユニット５０の摺動部５２は、施錠被係止部５ａ−３に挿通したフック１２ａ−３により上方向に押し上げられる。これにより、いじわる施錠時においても、いじわる解錠時と同様に、斜面５２１ａの破損を回避することができる。
【００５８】
また、いじわる解錠時においても、通常の解錠状態と同様に、摺動部５２の斜面５２１ａとフック１２ａ−３の斜面１２ｃとが当接するため、フック１２ａ−３と当接する開放補助ユニット５０は、前扉５を開放方向に蹴り出す作用を奏する。これにより、遊技機１は、いじわる解錠時においても、前扉５が開放し易い状態となる。
【００５９】
また、開放補助ユニット５０の摺動部５２は、第１連動部材１２により付勢されることが可能になっている。具体的には、摺動部５２は、施錠被係止部５ａ−３の開口端２５０に挿通された第１連動部材１２のフック１２ａ−３が、図７（ｂ）に示す解錠状態よりもさらに上方向にスライドすることに基づいて付勢される。図７（ｃ）に示すように、例えばいじわる解錠およびいじわる施錠時において、フック１２ａ−３によって摺動部５２が上限位置（図４（ｄ）参照）まで押し上げられると、開放補助ユニット５０のコイルばね５４が上方向に圧縮されて付勢力が蓄えられ、摺動部５２が付勢される。いじわる施錠時には、例えばフック１２ａ−３が開口端２５０に挿通された後に、作業者が錠前６に差し込んだ鍵に対する回転操作を止めると、第１連動部材１２のフック１２ａ−３が摺動部５２を押し上げる力がコイルばね５４の付勢力よりも小さくなる。すると、コイルばね５４において蓄えられた付勢力が放出されて開放補助ユニット５０の摺動部５２が下方向へ摺動し、初期位置（図４（ｃ）参照）に戻る。これに合わせて、施錠被係止部５ａ−３の開口端２５０に挿通された第１連動部材１２のフック１２ａ−３が下方向へスライドし、開口端２５０の下側端部２５０ａを係止する。このように、本実施形態による遊技機１において、施錠機構１０は、いじわる施錠時にもスムーズに解錠状態から施錠状態に遷移することができる。
【００６０】
また、施錠機構１０の解錠限度状態において、錠前６のカム板６１が反時計回り方向に最大限まで回転するため、図８（ｃ）に示すように側面６２ａもスライド部材２３に接触しながら図８（ｂ）に示す解錠状態よりもさらにＬ方向側に倒れ込む。したがって、スライド部材２３に対して、解錠状態時よりもさらに強くＬ方向への力が加えられる。これにより。ロック機構２０のスライド部材２３は、図８（ｂ）に示す第２位置よりもさらにＬ側の第３位置まで移動する。この状態を、ロック機構２０の許容限度状態という。許容限度状態において、スライド部材２３の係止部２３２のＬ方向側の端部は、ロック機構２０のベース部材２２のＬ方向側の端部とほぼ重なる位置まで移動している。
【００６１】
以上、説明したように、本実施形態による遊技機１は、外枠２および中扉３（基体の一例）の正面側に設けられ、外枠２および中扉３の幅方向一端側を軸として外枠２および中扉３に対して開閉可能な前扉５（扉体の一例）と、前扉５に設けられた施錠被係止部５ａと、中扉に設けられ前扉５の解錠操作に連動して中扉３の幅方向に交わる上下方向にスライドする第１連動部材１２とを有し、施錠被係止部５ａに第１連動部材１２が係止されることにより前扉５の開放を規制する施錠状態、および、該施錠被係止部５ａと第１連動部材１２との係止関係が断たれて前扉５の開放を許容する解錠状態となる施錠機構１０と、第１連動部材１２によって付勢されることが可能であって、施錠被係止部５ａと対向して前扉５に設けられ解錠状態における前扉５の開放を補助する開放補助ユニット５０（開放補助部材の一例）と、を備える。これにより、遊技機１は、解錠状態において前扉５を容易に開放することができる。
【００６２】
また、本実施形態による遊技機１において、開放補助ユニット５０は、施錠機構１０が施錠状態からフック１２ａ（係止爪の一例）が施錠被係止部５ａを係止しない解錠状態に遷移した際にフック１２ａと摺動部５２とが当接する位置に設けられている。また、開放補助ユニット５０の摺動部５２は、フック１２ａと当接する位置に斜面５２１ａが設けられている。これにより、開放補助ユニット５０は、施錠機構１０が解錠状態となった際に斜面５２１ａとフック１２ａとが当接することに基づいて、前扉５を開放方向に押し出す作用を奏し、前扉５を開放し易くすることができる。
【００６３】
（変形例）
上記実施形態において、開放補助ユニット５０は、前扉５の背面板１５０における複数の施錠被係止部５ａのうち、一番下に設けられた施錠被係止部５ａ−３に対向する位置に設けられるとしたが、本発明はこれに限られない。例えば、前扉５の上側に重量のある意匠等の構造物が取り付けられた場合には、前扉５の開放時において、第１連動部材１２の上側のフック１２ａ（例えば、フック１２ａ−１）が施錠被係止部５ａから離脱しづらくなることが想定される。このため、例えば、開放補助ユニット５０は、前扉５の背面板１５０における複数の施錠被係止部５ａのうち一番上に設けられた施錠被係止部５ａ−１に対向する位置に設けられてもよい。これにより、前扉５の上側に重量のある構造物が取り付けられた場合にも、施錠機構１０の解錠時において、開放補助ユニット５０の作用によって前扉５を容易に開放することができる。
【００６４】
また、上記実施形態において、開放補助ユニット５０は前扉５において１つ設けられているとしたが、本発明はこれに限られない。例えば、遊技機１において、開放補助ユニット５０は、３つの施錠被係止部５ａのうちの２つにそれぞれ対向する位置に設けられてもよいし、３つの施錠被係止部５ａの全てにそれぞれ対向する位置に設けられてもよい。
【００６５】
また、上記実施形態において、第１連動部材１２および第２連動部材１３を有する施錠機構１０は中扉３側に設けられ、施錠被係止部５ａ（５ａ−１〜５ａ−３）は前扉５側に設けられているとしたが、本発明はこれに限られない。例えば、施錠機構１０の第１連動部材１２および第２連動部材１３が前扉５に設けられ、施錠被係止部５ａが中扉３に設けられていてもよい。また、施錠被係止部５ａが中扉３に設けられている場合、開放補助ユニット５０も中扉３において施錠被係止部５ａの開口端２５０と対向する位置に設けられる。
【００６６】
また、上記実施形態において、開放補助ユニット５０は、施錠機構１０が施錠状態から解錠状態（第１連動部材１２のフック１２ａが施錠被係止部５ａを係止しない状態）に遷移した際に、フック１２ａと摺動部５２とが当接する位置に設けられているとしたが、本発明はこれに限られない。開放補助ユニット５０は、施錠機構１０が施錠状態から解錠状態に遷移する途中（例えば、施錠状態から解錠状態への遷移直前）、または施錠状態から解錠状態への遷移直後に、フック１２ａと摺動部５２とが当接する位置に設けられていればよい。この場合も、開放補助ユニット５０は、前扉５を開放方向に押し出す作用（開放補助作用）を効果的かつ円滑に奏することができる。このように、開放補助ユニット５０は、施錠機構１０が施錠状態から解錠状態に遷移する際にフック１２ａと摺動部５２とが当接する位置に設けられていればよい。また、施錠機構１０が施錠状態から解錠状態に遷移する途中にフック１２ａと開放補助ユニット５０の摺動部５２とが当接する場合、フック１２ａによる押し上げに伴って摺動部５２が上限位置（図４（ｄ）参照）に達する前に、施錠機構１０が解錠状態となるように構成されていればよい。
【００６７】
以上、添付図面を参照しながら本発明の好適な実施形態とその変形例について説明したが、本発明はかかる実施形態等に限定されない。当業者であれば、特許請求の範囲に記載された範疇において、各種の変更例または修正例に想到し得ることは明らかであり、それらについても当然に本発明の技術的範囲に属するものと了解される。
【符号の説明】
【００６８】
１  遊技機
２  外枠
３  中扉
４  透過板
５  前扉
５ａ、５ａ−１、５ａ−２、５ａ−３  施錠被係止部
６  錠前
６ａ  鍵穴
１０  施錠機構
１２  第１連動部材
１２ａ、１２ａ−１、１２ａ−２、１２ａ−３  フック
１２ｂ  係止部
１２ｃ  斜面
１２ｄ  傾斜端面
１３  第２連動部材
２０  ロック機構
２２  ベース部材
２３  スライド部材
５０  開放補助ユニット
５１  ベース部
５２  摺動部
１５０  背面板
２５０  開口端
２５０ａ  下側端部
５２１  露出部
５２１ａ  斜面
５３  カバー部
５４  コイルばね
【図１】
2019180697.tif 000003
【図２】
2019180697.tif 000004
【図３】
2019180697.tif 000005
【図４】
2019180697.tif 000006
【図５】
2019180697.tif 000007
【図６】
2019180697.tif 000008
【図７】
2019180697.tif 000009
【図８】
2019180697.tif 000010